(57)【要約】【目的】高い床剛性を確保しつつ自由な間取りを可能とする。【構成】本発明に係る床組構造１は、矩形状をなす外周梁２と、該外周梁で囲まれた構面内に配置された格子梁３と、外周梁２及び格子梁３の天端に配置される複数の床パネル４とから概ね構成してあるが、ここで、格子梁３は、所定の間隔で外周梁２に架け渡された複数の床梁５と、該各床梁の間又は該床梁と外周梁２との間に該床梁と直交する方向に所定の間隔で架け渡された床組用組立梁としての組立梁６とで構成してある。【選択図】　図１
2004011285.tif 000002
【特許請求の範囲】
【請求項１】
矩形状をなす外周梁と、該外周梁で囲まれた構面内に配置された格子梁と、前記外周梁及び前記格子梁の天端に配置される複数の床パネルとからなる床組構造体であって、前記格子梁を、前記外周梁のうち、互いに対向する外周梁と平行になるように該外周梁と直交配置された外周梁に所定の間隔で架け渡された複数の床梁と、該各床梁の間又は該床梁とそれに平行な前記外周梁との間に該床梁と直交する方向に所定の間隔で架け渡された組立梁とで構成し、前記組立梁及び前記床梁をそれらの梁成が互いに等しくなるように構成するとともに該組立梁及び該床梁をそれらの天端が前記外周梁の天端と面一となるように架け渡し、前記組立梁及び前記床梁の天端に前記各床パネルの周縁を固定するとともに、前記組立梁のうち、前記床梁を挟む一対の組立梁の下端を所定の連結部材を介して相互に連結してなることを特徴とする床組構造体。
【請求項２】
前記組立梁の両端天端近傍であって前記外周梁又は前記床梁に当接する当接面に所定の突設部をそれぞれ設けるとともに、該突設部が嵌め込まれる切り欠きを前記外周梁又は前記床梁に設けた請求項１記載の床組構造体。
【請求項３】
矩形状をなす外周梁と、該外周梁で囲まれた構面内に配置された格子梁と、前記外周梁及び前記格子梁の天端に配置される複数の床パネルとからなる床組構造であって、前記格子梁を、前記外周梁のうち、互いに対向する外周梁と平行になるように該外周梁と直交配置された外周梁に所定の間隔で架け渡された複数の床梁と、該各床梁の間又は該床梁とそれに平行な前記外周梁との間に該床梁と直交する方向に所定の間隔で架け渡された組立梁とで構成し、前記組立梁及び前記床梁をそれらの梁成が互いに等しくなるように構成するとともに該組立梁及び該床梁をそれらの天端が前記外周梁の天端と面一となるように架け渡し、前記組立梁及び前記床梁の天端に前記各床パネルの周縁を固定するとともに、前記組立梁のうち、前記床梁を挟む一対の組立梁の下端を所定の連結部材を介して相互に連結してなることを特徴とする床組構造。
【請求項４】
前記組立梁の両端天端近傍であって前記外周梁又は前記床梁に当接する当接面に所定の突設部をそれぞれ設けるとともに、該突設部が嵌め込まれる切り欠きを前記外周梁又は前記床梁に設けた請求項３記載の床組構造。
【請求項５】
木質材料からなる枠材を矩形状に形成してなる枠組と、該枠組で囲まれた構面内に取り付けられた木質材料からなる軸部材とで構成するとともに、前記枠組と前記軸部材とを互いに接合したことを特徴とする床組用組立梁。
【請求項６】
前記枠組の両端天端近傍に架設及び仮受け用の突設部を設けた請求項５記載の床組用組立梁。
【請求項７】
前記組立梁を、木質材料からなる枠材を矩形状に形成してなる枠組と、該枠組で囲まれた構面内に取り付けられた木質材料からなる軸部材とで構成するとともに、前記枠組と前記軸部材とを互いに接合した床組用組立梁とした請求項１又は請求項２記載の床組構造体。
【請求項８】
前記組立梁を、木質材料からなる枠材を矩形状に形成してなる枠組と、該枠組で囲まれた構面内に取り付けられた木質材料からなる軸部材とで構成するとともに、前記枠組と前記軸部材とを互いに接合した床組用組立梁とした請求項３又は請求項４記載の床組構造。
【発明の詳細な説明】
【０００１】
【発明の属する技術分野】
本発明は、木造建築物を在来構法で構築する際に用いる床組構造体及び床組構造並びに床組用組立梁に関する。
【０００２】
【従来の技術】
木造建築物の構法としては、梁・桁等の横架材と柱とからなる軸組構造を用いた在来構法、４０ｍｍ×９０ｍｍ程度の断面を有する木材を主として使用し面（壁、床）全体で支える枠組壁構法（ツーバイフォー工法）、主として合板を用いたパネルを主な構造耐力部材として利用する木質プレハブ構法などが用いられている。
【０００３】
ここで、木造建築物を在来構法で構築する場合には、基礎の構築、土台の設置、柱及び梁の設置、床組及び小屋組を順次行うこととなるが、２階又は３階の床組を行う際は、床を張ろうとする平面の短手方向に平行に所定の間隔で床梁を架け渡し、該床梁と直交するように床梁の上に根太を掛け、その上に床板を張るのが一般的である。
【０００４】
【発明が解決しようとする課題】
しかしながら、かかる床組構造においては、一方向にのみ床梁をかけてあるため、床梁に作用する鉛直荷重が大きくなり、十分な剛性を確保するためには梁成を大きくせざるを得ない。したがって、天井ふところが大きくなり、その分、下階の天井高が低くなってしまうという問題を生じていた。
【０００５】
一方、下階の天井高を確保すべく、梁成を小さくすると、床梁の長さを短くする必要が生じるとともに、それに伴って多数の柱を短いスパンで立設しなければならないため、大きな室内空間を確保することが困難になるとともに、間取りの変更が困難になる場合が多いという問題も生じていた。
【０００６】
ちなみに、床梁を一方向のみではなく、格子状に組む方法もあるが、かかる場合には、床梁の交差部を互いに相欠きとする必要があるため、断面欠損を生じ、剛性が低下する場合があるという問題を生じていた。
【０００７】
本発明は、上述した事情を考慮してなされたもので、高い床剛性を確保しつつ自由な間取りが可能な床組構造体及び床組構造並びに床組用トラスを提供することを目的とする。
【０００８】
【課題を解決するための手段】
上記目的を達成するため、本発明に係る床組構造体は請求項１に記載したように、矩形状をなす外周梁と、該外周梁で囲まれた構面内に配置された格子梁と、前記外周梁及び前記格子梁の天端に配置される複数の床パネルとからなる床組構造体であって、前記格子梁を、前記外周梁のうち、互いに対向する外周梁と平行になるように該外周梁と直交配置された外周梁に所定の間隔で架け渡された複数の床梁と、該各床梁の間又は該床梁とそれに平行な前記外周梁との間に該床梁と直交する方向に所定の間隔で架け渡された組立梁とで構成し、前記組立梁及び前記床梁をそれらの梁成が互いに等しくなるように構成するとともに該組立梁及び該床梁をそれらの天端が前記外周梁の天端と面一となるように架け渡し、前記組立梁及び前記床梁の天端に前記各床パネルの周縁を固定するとともに、前記組立梁のうち、前記床梁を挟む一対の組立梁の下端を所定の連結部材を介して相互に連結してなるものである。
【０００９】
また、本発明に係る床組構造体は、前記組立梁の両端天端近傍であって前記外周梁又は前記床梁に当接する当接面に所定の突設部をそれぞれ設けるとともに、該突設部が嵌め込まれる切り欠きを前記外周梁又は前記床梁に設けたものである。
【００１０】
また、本発明に係る床組構造は請求項３に記載したように、矩形状をなす外周梁と、該外周梁で囲まれた構面内に配置された格子梁と、前記外周梁及び前記格子梁の天端に配置される複数の床パネルとからなる床組構造であって、前記格子梁を、前記外周梁のうち、互いに対向する外周梁と平行になるように該外周梁と直交配置された外周梁に所定の間隔で架け渡された複数の床梁と、該各床梁の間又は該床梁とそれに平行な前記外周梁との間に該床梁と直交する方向に所定の間隔で架け渡された組立梁とで構成し、前記組立梁及び前記床梁をそれらの梁成が互いに等しくなるように構成するとともに該組立梁及び該床梁をそれらの天端が前記外周梁の天端と面一となるように架け渡し、前記組立梁及び前記床梁の天端に前記各床パネルの周縁を固定するとともに、前記組立梁のうち、前記床梁を挟む一対の組立梁の下端を所定の連結部材を介して相互に連結してなるものである。
【００１１】
また、本発明に係る床組構造は、前記組立梁の両端天端近傍であって前記外周梁又は前記床梁に当接する当接面に所定の突設部をそれぞれ設けるとともに、該突設部が嵌め込まれる切り欠きを前記外周梁又は前記床梁に設けたものである。
【００１２】
また、本発明に係る床組用組立梁は請求項５に記載したように、木質材料からなる枠材を矩形状に形成してなる枠組と、該枠組で囲まれた構面内に取り付けられた木質材料からなる軸部材とで構成するとともに、前記枠組と前記軸部材とを互いに接合したものである。
【００１３】
また、本発明に係る床組用組立梁は、前記枠組の両端天端近傍に架設及び仮受け用の突設部を設けたものである。
【００１４】
また、本発明に係る床組構造体は、前記組立梁を、木質材料からなる枠材を矩形状に形成してなる枠組と、該枠組で囲まれた構面内に取り付けられた木質材料からなる軸部材とで構成するとともに、前記枠組と前記軸部材とを互いに接合した床組用組立梁としたものである。
【００１５】
また、本発明に係る床組構造は、前記組立梁を、木質材料からなる枠材を矩形状に形成してなる枠組と、該枠組で囲まれた構面内に取り付けられた木質材料からなる軸部材とで構成するとともに、前記枠組と前記軸部材とを互いに接合した床組用組立梁としたものである。
【００１６】
本発明に係る床組構造体及び床組構造においては、外周梁で囲まれた構面内に配置される格子梁を、所定の間隔で該外周梁に架け渡された複数の床梁と、該各床梁の間又は該床梁と外周梁との間に該床梁と直交する方向に所定の間隔で架け渡された組立梁とで構成してある。
【００１７】
ここで、格子梁のうち、床梁は途中で途切れることなくそのままの断面で架け渡されているため、鉛直荷重に対して所定の曲げ剛性を有するとともに、床梁を挟むように配置してある組立梁は、その下端を連結部材を介して相互に連結してあるため、該連結部材の引張抵抗により、鉛直荷重に対してやはり所定の曲げ剛性を有することとなり、上述した床梁の曲げ剛性と相まって、鉛直荷重に対する格子梁全体の曲げ剛性は従来の床組構造に比べて飛躍的に大きくなる。
【００１８】
そのため、本発明に係る床組構造体及び床組構造は、鉛直荷重に対する十分な曲げ剛性、言い換えれば、十分な面外剛性を確保することが可能となり、下階においては、格子梁で分散された上階からの鉛直荷重を外周梁に接合された柱で支持すれば足りる。
【００１９】
一方、外周梁及び格子梁の天端に複数の床パネルを配置し、各床パネルの周縁を組立梁及び床梁の天端に固定してあるため、本発明に係る床組構造体及び床組構造は、水平荷重に対するせん断剛性、言い換えれば、面内剛性も大きくなり、地震時水平力に対しても水平変形やねじれ変形を抑制することが可能となる。
【００２０】
このように、本発明に係る床組構造体及び床組構造においては、下階への影響を考慮することなく自由な間取りや、間取りの変更を上階で容易に行うことが可能となる。一方、下階においても、上階の積載荷重を考慮することなく自由な間取りや、間取りの変更を容易に行うことができることはもちろんのこと、格子梁の下方に大きな室内空間を確保することも可能となる。
【００２１】
また、外周梁で囲まれた構面内に配置される床梁及び組立梁は、格子状に固定された格子梁となるため、上階からの鉛直荷重は、上述したように分散される。したがって、床梁や組立梁の梁成を従来よりも小さくすることが可能となり、下階の天井高を十分に確保することができる。
【００２２】
また、格子梁のうち、一方の方向に配置される梁を組立梁としてあるため、通常の梁よりも軽量化され、運搬時における取扱いの容易さや施工性が向上するのみならず、組立梁の構面には所定の空間が生じているため、かかる空間を配管や配線に利用することが可能となる。
【００２３】
本発明に係る床組構造体を用いて木造建築物を構築する際は、予め工場等で床組構造体を組み立てておき、かかる床組構造体を現場に搬入した後、現場に立設された管柱の柱頭に外周梁の下面が当接されるように床組構造体を設置する。
【００２４】
また、本発明に係る床組構造を用いて木造建築物を構築する際は、まず、現場にて立設された柱に支持されるように外周梁を設置する。なお、外周梁を設置するにあたっては、管柱の柱頭に該外周梁の下面が当接されるように該管柱に接合してもかまわないし、通し柱の側面に接合するようにしてもかまわない。
【００２５】
次に、外周梁に床梁を架け渡すとともに、各床梁の間又は床梁と外周梁との間に組立梁を架け渡し、格子梁とする。
【００２６】
次に、床パネルを格子梁及び外周梁の上に配置してその周縁を格子梁を形成する組立梁及び床梁の天端に固定するとともに、床梁を挟む一対の組立梁の下端を連結部材を介して相互に連結する。
【００２７】
外周梁は、格子梁を介して流れてきた上階からの鉛直荷重をその下階に立設された柱に伝達するようになっており、その形状は、長方形状でもかまわないし正方形状でもかまわない。
【００２８】
また、本発明に係る床組構造体又は床組構造は、単独で用いてもかまわないが、従来の床組構造と組み合わせて用いるようにしてもかまわない。かかる場合においては、外周梁で囲まれた構面の外側に床梁を平行架設してなる従来の床組構造を隣接配置することとなるが、この場合、本発明に係る床組構造体又は床組構造の外周梁と従来の床組構造を構成する胴差し、梁等の横架材とを同一部材で兼用するようにしてもかまわない。
【００２９】
床パネルは、外周梁及び格子梁の天端に配置し、その周縁を組立梁及び床梁に固定することができるのであればどのように構成するかは任意であるが、例えば、短辺を格子梁の１スパン分、長辺を格子梁の２スパン分の長さとした矩形状のパネルで構成することが考えられる。
【００３０】
連結部材は、引張抵抗が大きい材料で構成するとともに、床梁を挟む一対の組立梁の下端を相互に連結することができるのであれば、どのように構成するかは任意であり、例えば短冊状の補強プレートで構成することができる。
【００３１】
組立梁は、その梁成が床梁の梁成と等しくなるように構成するとともに、各床梁の間又は該床梁と外周梁との間に該床梁と直交する方向に取り付けることができるのであればどのように構成するかは任意であるが、ここで、組立梁の両端天端近傍であって外周梁又は床梁に当接する当接面に所定の突設部をそれぞれ設けるとともに、該突設部が嵌め込まれる切り欠きを外周梁又は床梁に設けてもかまわない。
【００３２】
かかる場合には、組立梁を床梁又は外周梁に架け渡す際、床梁及び外周梁に設けられた切り欠きに、組立梁の突設部が嵌め込まれるように該組立梁を落とし込めばよい。
【００３３】
このようにすると、組立梁を架け渡す位置が容易にわかるとともに、組立梁を床梁又は外周梁で仮受けすることができるため、床梁や外周梁への取付け時の施工性が向上する。
【００３４】
また、本発明に係る床組用組立梁においては、木質材料からなる枠材を矩形状に形成してなる枠組と、該枠組で囲まれた構面内に取り付けられた木質材料からなる軸部材とで構成するとともに、枠組と軸部材とを互いに接合してあり、該組立梁を用いて格子梁を形成したり、既設の床組構造においてその床梁の間に架け渡すことで該床組構造を補強したりすることが可能となる。
【００３５】
また、通常の梁よりも軽量化されるため、運搬時における取扱いの容易さや施工性が向上するのみならず、組立梁の構面には所定の空間が生じているため、かかる空間を配管や配線に利用することが可能となる。
【００３６】
請求項５乃至請求項６に係る床組用組立梁や請求項７乃至請求項８に係る床組構造体又は床組構造に用いる床組用組立梁は、木質材料からなる枠組及び軸部材で構成されている限り、枠組内に軸部材をどのように接合するかは任意であり、例えば、枠組及び軸部材とも圧縮引張抵抗材としてもよいし、軸部材をブレース材としてもよい。なお、前者の床組用組立梁は、トラス梁となる。
【００３７】
【発明の実施の形態】
以下、本発明に係る床組構造体及び床組構造並びに床組用組立梁の実施の形態について、添付図面を参照して説明する。なお、従来技術と実質的に同一の部品等については同一の符号を付してその説明を省略する。
【００３８】
図１は、本実施形態に係る床組構造１を示した図で、（ａ）は平面図、（ｂ）は（ａ）のＡ−Ａ線に沿う断面詳細図である。同図に示すように、本実施形態に係る床組構造１は、矩形状をなす外周梁２と、該外周梁で囲まれた構面内に配置された格子梁３と、外周梁２及び格子梁３の天端に配置される複数の床パネル４とから概ね構成してあるが、ここで、格子梁３は、所定の間隔で外周梁２に架け渡された複数の床梁５と、該各床梁の間又は該床梁と外周梁２との間に該床梁と直交する方向に所定の間隔で架け渡された床組用組立梁としての組立梁６とで構成してある。
【００３９】
床組構造１は、例えば床梁５及び組立梁６の架設ピッチを９１０ｍｍとして５４６０ｍｍ×７２８０ｍｍの大きさに構成することができる。
【００４０】
外周梁２は、互いに対向する短手方向の外周梁２ａ，２ａと、該外周梁と直交配置された長手方向の外周梁２ｂ，２ｂとで長方形状に形成してあり、格子梁３を介して流れてきた上階からの鉛直荷重をその下階に立設された柱に伝達するようになっている。外周梁２は、例えば梁幅が１０５ｍｍ、梁成が３６０ｍｍの集成材で構成することができる。
【００４１】
床梁５は、外周梁２のうち、短手方向の外周梁２ａ，２ａと平行になるように該外周梁と直交配置された長手方向の外周梁２ｂ，２ｂに、該外周梁の天端と床梁５の天端が面一となるように架け渡してある。
【００４２】
組立梁６は、同図（ｂ）に示すように、木質材料からなる枠材を矩形状に形成してなる枠組７と、該枠組で囲まれた構面内に逆Ｖ字状に取り付けられた木質材料からなる軸部材８，８とで構成するとともに、枠組７と軸部材８，８とをネイルプレート９で互いに接合して構成してあり、各接合箇所をピン接合とみなし得るトラス梁として構成してある。ここで、例えば、床梁５の梁幅を１０５ｍｍ、組立梁６の梁幅を８９ｍｍとすることができるが、梁成については、組立梁６と床梁５とを互いに等しくなるように構成してあり、例えば３６０ｍｍとすることができる。
【００４３】
また、図１（ｂ）及び図２の底面図に示したように、組立梁６のうち、床梁５を挟む一対の組立梁６，６の下端を連結部材である短冊状の補強プレート１０を介して相互に連結してある。
【００４４】
さらに、組立梁６と短手方向の外周梁２ａ，２ａとの当接箇所においても、同様に、組立梁６の下端と外周梁２ａの下端とを補強プレート１０を介して相互に連結してある。このようにすると、外周梁２ａ，２ａと格子梁３とが強固に相互連結されることとなり、地震時水平力に対しても高い強度を持つ耐震性に優れた床組構造となる。なお、外周梁２ａ，２ａの下方に柱が立設されている場合には、その箇所の補強プレート１０を適宜省略してもよい。かかる構成においても、床組構造全体の強度上、何ら問題はないが、必要であれば、例えばＬ型補強金物で別途補強するようにすればよい。
【００４５】
組立梁６には、図３に示すように、該組立梁の両端天端近傍、すなわち枠組７の両端天端近傍であって短手方向の外周梁２ａ又は床梁５に当接する当接面に所定の突設部１１，１１をそれぞれ設けてあるとともに、短手方向の外周梁２ａ及び床梁５には、突設部１１が嵌め込まれる切り欠き１２を設けてあり、組立梁６の突設部１１を短手方向の外周梁２ａ及び床梁５に形成された切り欠き１２に嵌め込むことによって、組立梁６をその天端が外周梁２ａ及び床梁５の天端と面一となるように架け渡すことができるようになっている。すなわち、突設部１１，１１は、外周梁２ａ又は床梁５に架け渡すための架設用の突設部として機能する。
【００４６】
床パネル４は、図４に示すように、短辺を格子梁３の１スパン分、長辺を格子梁３の２スパン分の長さとした矩形状のパネルで構成してあり、その周縁を組立梁６及び床梁５の天端に釘、ビス等で固定してある。なお、床パネル４の短手方向中央にも組立梁６が配置されるため、該組立梁の天端にも床パネル４を固定するとともに、床パネル４が短手方向の外周梁２ａ及び長手方向の外周梁２ｂの天端に配置されている場合には、該外周梁の天端にも固定する。
【００４７】
本実施形態に係る床組構造１を用いて木造建築物を構築するには、まず、現場にて立設された柱に外周梁２を架け渡す。なお、外周梁２を架け渡すにあたっては、柱が管柱であればその柱頭に外周梁２の下面が当接されるように該管柱に接合し、柱が通し柱であればその側面に接合すればよい。
【００４８】
次に、外周梁２のうち、長手方向の外周梁２ｂ，２ｂに床梁５を架け渡すとともに、各床梁の間又は床梁５と短手方向の外周梁２ａとの間に組立梁６を架け渡し、格子梁３とする。なお、組立梁６を床梁５又は短手方向の外周梁２ａに架け渡す際は、床梁５又は短手方向の外周梁２ａに設けられた切り欠き１２に、組立梁６の突設部１１が嵌め込まれるように該組立梁を落とし込んで床梁５又は外周梁２ａで仮受けする。
【００４９】
すなわち、突設部１１，１１は、外周梁２ａ又は床梁５に組立梁６を仮受けするための仮受け用の突設部としても機能する。
【００５０】
次に、組立梁６の枠組７の側方から床梁５又は外周梁２ａに向けて釘打ちし、次いで、床パネル４を格子梁３及び外周梁２の上に配置してその周縁を格子梁３を形成する組立梁６及び床梁５の天端に釘、ビス等で固定するとともに、床梁５を挟む一対の組立梁６，６の下端に該床梁をまたぐようにして補強プレート１０をあてがい、次いで、補強プレート１０の両端を組立梁６，６の下端にそれぞれ釘等で固定することで組立梁６，６を相互に連結する。
【００５１】
なお、床組構造１の周囲には、必要に応じて従来公知の床組構造を隣接配置し、該床組構造を外周梁２に適宜接合すればよい。
【００５２】
本実施形態に係る床組構造１においては、格子梁３のうち、床梁５は途中で途切れることなくそのままの断面で架け渡されているため、鉛直荷重に対して所定の曲げ剛性を有するとともに、床梁５を挟むように配置してある組立梁６，６は、その下端を補強プレート１０を介して相互に連結してあるため、該補強プレートの引張抵抗により、鉛直荷重に対してやはり所定の曲げ剛性を有することとなり、上述した床梁５の曲げ剛性と相まって、鉛直荷重に対する格子梁３全体の曲げ剛性は従来の床組構造に比べて飛躍的に大きくなる。
【００５３】
そのため、床組構造１は、鉛直荷重に対する十分な曲げ剛性、言い換えれば、十分な面外剛性を確保することが可能となり、下階においては、格子梁３で分散された上階からの鉛直荷重を外周梁２に接合された柱で支持すれば足りる。
【００５４】
一方、外周梁２及び格子梁３の天端に複数の床パネル４を配置し、各床パネル４の周縁を組立梁６及び床梁５の天端に固定してあるため、床組構造１は、水平荷重に対するせん断剛性、言い換えれば、面内剛性も大きくなり、地震時水平力に対しても水平変形やねじれ変形が抑制される。
【００５５】
以上説明したように、本実施形態に係る床組構造１によれば、外周梁２で囲まれた構面内に、床梁５と組立梁６とで構成された格子梁３を配置したので、十分な曲げ剛性及びせん断剛性を確保することが可能となる。
【００５６】
したがって、下階への影響を考慮することなく自由な間取りや、間取りの変更を上階で容易に行うことが可能となる。一方、下階においても、上階の積載荷重を考慮することなく自由な間取りや、間取りの変更を容易に行うことができることはもちろんのこと、格子梁３の下方に大きな室内空間を確保することも可能となる。
【００５７】
また、本実施形態に係る床組構造１によれば、外周梁２で囲まれた構面内に配置される床梁５及び組立梁６は、格子状に固定された格子梁３となるため、上階からの鉛直荷重は、上述したように分散される。したがって、床梁５や組立梁６の梁成を従来よりも小さくすることが可能となり、下階の天井高を十分に確保することができる。
【００５８】
また、本実施形態に係る床組構造１及び組立梁６によれば、通常の梁よりも軽量化され、運搬時における取扱いの容易さや施工性が向上するのみならず、組立梁６の構面には所定の空間が生じているため、かかる空間を配管や配線に利用することが可能となる。
【００５９】
また、本実施形態に係る床組構造１及び組立梁６によれば、組立梁６の両端天端近傍に突設部１１をそれぞれ設けるとともに、該突設部が嵌め込まれる切り欠き１２を外周梁２又は床梁５に設けたので、組立梁６を架け渡す位置が容易にわかるとともに、組立梁６を床梁５又は外周梁２で仮受けすることができるため、床梁５や外周梁２への取付け時の施工性が向上する。
【００６０】
図５は、２階の床組の一部として本実施形態に係る床組構造１を用いている木造住宅２１を示した図である。
【００６１】
同図でわかるように、木造住宅２１は、ダイニング２７、和室２８、キッチン、玄関及び玄関ホールの上方に床組構造１を配置してなり、該床組構造の上である二階には、２つの居室２２，２３及び洗面台を設けてある。
【００６２】
かかる構成においては、床組構造１は、上述したように高い面外剛性を発揮するため、上階及び下階とも間取りの変更を自由に行うことが可能となる。
【００６３】
図６は、間取りの変更を行った後の木造住宅２１′を示したものであり、下階のダイニング２７及び和室２８は、より大きなリビング２９に間取り変更され、上階の居室２３は、２つの居室２５，２６に分割されている。
【００６４】
本実施形態では、床組構造１を従来の床組構造と組み合わせるにあたって、図５及び図６で説明したようにそれらを隣接配置するようにしたが、本発明に係る床組構造は単独で用いるようにしてもかまわない。なお、建物が大きい場合などは、本発明に係る床組構造を平面形状が互いに異なる複数の床組構造として構成し、該複数の床組構造を互いに隣接配置するようにしてもかまわない。
【００６５】
また、従来の床組構造と組み合わせて用いる場合でも、本発明に係る床組構造と従来の床組構造との相対位置関係は任意であり、単に隣接配置するようにしてもよいし、本発明に係る床組構造を取り囲むように従来の床組構造を配置してもかまわないし、本発明に係る床組構造を従来の床組構造で挟むように配置してもかまわない。
【００６６】
また、本実施形態では、現場にて床組構造１を組み立てるようにしたが、本発明に係る床組構造を採用する床面積が小さいときは、床組構造の大きさもそれに応じて小規模なもので足りる。したがって、床組構造１を現場で組み立てるのではなく、予め工場等で組み立ててもかまわない。
【００６７】
この場合、床組構造１は、床組構造体として運搬され現場に搬入された後、現場に吊り込まれることとなる。かかる場合においては、予め管柱を立設しておき、該管柱の柱頭に外周梁の下面が当接されるように、床組構造体を吊り込めばよい。
【００６８】
なお、床組構造体を用いた場合の構成及び作用効果は、予め組み立ててから現場に搬入する点を除き、床組構造１と同様であるので、ここではその説明を省略する。
【００６９】
また、本実施形態では、組立梁６の両端天端近傍に突設部１１をそれぞれ設けるとともに、該突設部が嵌め込まれる切り欠き１２を外周梁２又は床梁５に設けるようにしたが、組立梁６を架け渡す際の施工性に問題がないのであれば、突設部１１及び切り欠き１２を省略してもかまわない。
【００７０】
また、本実施形態では、床組用組立梁を床組構造１の組立梁６として用いるようにしたが、床組用組立梁の用途はこれに限るものではなく、例えば、既設の床組構造においてその床梁の間に床組用組立梁を架け渡し、該床組構造を補強するために用いるようにしてもかまわない。
【００７１】
【発明の効果】
以上述べたように、本発明に係る床組構造体及び床組構造によれば、外周梁で囲まれた構面内に、床梁と組立梁とで構成された格子梁を配置したので、十分な曲げ剛性及びせん断剛性を確保することが可能となる。
【００７２】
したがって、下階への影響を考慮することなく自由な間取りや、間取りの変更を上階で容易に行うことが可能となる。一方、下階においても、上階の積載荷重を考慮することなく自由な間取りや、間取りの変更を容易に行うことができることはもちろんのこと、格子梁の下方に大きな室内空間を確保することも可能となる。
【００７３】
また、外周梁で囲まれた構面内に配置される床梁及び組立梁は、格子状に固定された格子梁となるため、上階からの鉛直荷重は、上述したように分散される。したがって、床梁や組立梁の梁成を従来よりも小さくすることが可能となり、下階の天井高を十分に確保することができる。
【００７４】
また、本発明に係る床組構造体及び床組構造並びに床組用組立梁によれば、通常の梁よりも軽量化され、運搬時における取扱いの容易さや施工性が向上するのみならず、組立梁又は床組用組立梁の構面には所定の空間が生じているため、かかる空間を配管や配線に利用することが可能となる。
【００７５】
【図面の簡単な説明】
【図１】本実施形態に係る床組構造を示した図で、（ａ）は平面図、（ｂ）は（ａ）のＡ−Ａ線に沿う断面詳細図。
【図２】本実施形態に係る床組構造を示した図で、（ａ）は底面図、（ｂ）は（ａ）の詳細図。
【図３】本実施形態に係る床組構造を示した斜視図。
【図４】本実施形態に係る床組構造を示した平面詳細図。
【図５】本実施形態に係る床組構造を用いた木造住宅を示した図。
【図６】本実施形態に係る床組構造を用いた木造住宅を示した図。
【符号の説明】
１　　　　　　　　　　　　　床組構造
２，２ａ，２ｂ　　　　　　　外周梁
３　　　　　　　　　　　　　格子梁
４　　　　　　　　　　　　　床パネル
５　　　　　　　　　　　　　床梁
６　　　　　　　　　　　　　組立梁（床組用組立梁）
７　　　　　　　　　　　　　枠組
８　　　　　　　　　　　　　軸部材
１０　　　　　　　　　　　　補強プレート（連結部材）
１１　　　　　　　　　　　　突設部
１２　　　　　　　　　　　　切り欠き
【図１】
2004011285.tif 000003
【図２】
2004011285.tif 000004
【図３】
2004011285.tif 000005
【図４】
2004011285.tif 000006
【図５】
2004011285.tif 000007
【図６】
2004011285.tif 000008